(57)【要約】【課題】土中に突き刺す際に、二股部に土が詰まったり根や株が詰まることなく、土中深くにまで張った根や株を簡単に除去することのできる根・株除去具を提供する。【解決手段】柄部１の一端側に二股状に分岐する二股部２を一体に金属製板材により形成し、その二股部２の内縁を、基端から先端に向けて間隔が広くなるようにＶ字形に形成するとともに、その二股部２の内縁の基端には、板厚方向に貫通する孔５を形成した構成とすることで、二股部２を土中に突き刺したときにその間に位置する土を孔５において有効に逃がし、また、根や株が二股部２の間に詰まってもその取り外しを用途とする。そして、二股部２の内縁に互いに対向してナイフエッジ状の刃４を形成する場合には、孔５が砥石の逃げとして機能し、刃の形成を容易とする。【選択図】図２
0003137409.tif 000002
【実用新案登録請求の範囲】
【請求項１】
草、木等の根や株を除去するための除去具であって、金属製の板材からなり、柄部の一端側に二股状に分岐する二股部が一体に形成され、その二股部の内縁は、柄部側の基端から先端に向けてその間隔が広くなるようにＶ字形に形成されているとともに、この二股部の内縁の基端には、板厚方向に貫通する孔が形成されていることを特徴とする根・株除去具。
【請求項２】
上記二股部の内縁に、互いに対向するようにナイフエッジ状の刃が形成されていることを特徴とする請求項１に記載の根・株除去具。
【請求項３】
上記刃に凹凸歯が形成されていることを特徴とする請求項２に記載の根・株除去具。
【請求項４】
上記柄部の二股部に近接する位置に、板厚方向に５〜１５°の範囲で屈曲する屈曲部が形成されていることを特徴とする請求項１、２または３に記載の根・株除去具。
【考案の詳細な説明】
【技術分野】
【０００１】
本考案は、草や小木などの根や株を除去するための根・株除去具に関する。
【背景技術】
【０００２】
雑草などをその根から抜き取る器具として、従来、柄部に対して二股に分岐する二股部を金属製の平板部材により一体に形成したものが知られている（例えば特許文献１，２参照）。                                                                            
【０００３】
特許文献１に記載の器具では、握柄の先端に二股状の挟持部をやや下向きに設け、握柄の先端よりの下側にテコ支点部を形成するとともに、挟持部は先端に向けて広がるように開口させ、かつ、挟持部の先端の開口角度を他の部分よりも大きくし、また、挟持部の対向内縁には凹凸歯を形成した構造としている。
【０００４】
また、特許文献２の記載の器具においては、上記と同様に握柄部の先端を二股状に形成し、その二股部の内側に、先端に対して内側に向く凹凸歯を形成した構造としている。
【特許文献１】実開平６−２３４０１号公報
【特許文献２】実用新案登録第３０１２９４５号公報
【考案の開示】
【考案が解決しようとする課題】
【０００５】
ところで、以上の従来の器具は、いずれも、芝生の間の雑草などの比較的小さな草等の除去には有効であるが、比較的大型の雑草や小木など、強い根や株を除去するのは困難である。
【０００６】
すなわち、上記した各提案の器具によれば、二股部分を土中に突き刺して草や小木の根ないしは株を除去しようとすると、二股部分の内側の基端、つまり二股部分の分岐点に土が詰まってしまい、根や株と二股部分の分岐部との間に土が介在して、特に土の表面から深く根ざした草や小木を除去することが困難となる。また、特に強い根や株においては、二股部分の基部（分岐点）に、除去した根などが詰まってしまい、これを取り外すことが困難となる。
【０００７】
更に、二股部分の内側にナイフエッジ状の刃、つまりエッジ側ほど板厚が薄くなる刃、を形成することは、土中に深く突き刺すために極めて有効であるが、二股部分の内側の基部（分岐部）にまで、砥石による研削で切刃を形成することは実質的に不可能であり、実用化は容易ではない。
【０００８】
本考案はこのような実情に鑑みてなされたもので、土中に突き刺すことによって草木の根や株を除去する除去具で、二股部に土が詰まったり根や株が詰まることなく、土中深くにまで張った根や株を簡単に除去することのできる根・株除去具の提供をその課題としている。
【課題を解決するための手段】
【０００９】
上記の課題を解決するため、本考案の根・株除去具は、草、木等の根や株を除去するための除去具であって、金属製の板材からなり、柄部の一端側に二股状に分岐する二股部が一体に形成され、その二股部の内縁は、柄部側の基端から先端に向けてその間隔が広くなるようにＶ字形に形成されているとともに、この二股部の内縁の基端には、板厚方向に貫通する孔が形成されていることによって特徴づけられる（請求項１）。
【００１０】
ここで、本考案においては、上記二股部の内縁に、互いに対向するようにナイフエッジ状の刃を形成した構成（請求項２）を好適に採用することができ、その刃に凹凸歯を形成した構成（請求項３）を採用することもできる。
【００１１】
また、本考案においては、上記柄部の二股部に近接する位置に、板厚方向に５〜１５°の範囲で屈曲する屈曲部が形成すること（請求項４）が好ましい。
【００１２】
本考案は、柄部から二股に分岐してその内縁がＶ字形に形成された二股部の内側の基端（分岐点）に、板厚方向に貫通する孔を形成することで、二股部の内側基端に土の逃げを形成すると同時に、根などがこの二股部の分岐点に詰まることを防止しようとするものである。
【００１３】
すなわち、二股部の基端に土が詰まる原因は、二股部が基端側ほどその間隔が狭くなっているため、土中に突き刺していく際、二股部の内側に位置する土が次第に圧迫されて二股部の内側基端で逃げ場を失い、そこに固まった状態となるためであり、この二股部の内側基端に板厚方向に貫通する孔を形成しておくことにより、圧迫されてきた土がそこで解放され、詰まることを防止することができる。
【００１４】
また、草の詰まりについても、二股部の内側の基端に圧迫された状態で食い込むためであり、孔の存在によって簡単に取り除くことができる。
【００１５】
そして、請求項２に係る考案のように、二股部の内縁に互いに対向するようにナイフエッジ状の刃を形成すると、硬い土でも容易に突き刺すことが可能となるが、このナイフエッジ状の刃を砥石で研削する際、二股部の基端に形成されている孔は砥石の逃がし孔として機能し、二股部の内縁の全域に渡って刃を形成することが可能となる。
【００１６】
また、請求項３に係る考案のように、二股部の刃に凹凸歯を併せて形成することで、根や株の引っ掛かりが向上し、また、これらを切断する場合にはその作業が容易となる。
【考案の効果】
【００１７】
本考案によれば、柄部の一端側に、二股状に分岐して先端に向けてＶ字形に広がる二股部の内縁の基端に、板厚方向に貫通する孔を形成しているので、二股部を土中に突き刺したときに土が二股部の分岐点近傍に詰まることがなく、特に土中深く張った根を持つ草や小木などの除去が容易となるとともに、二股部の分岐点に草などが詰まって取り外しが困難となることもない。
【００１８】
また，請求項２に係る考案によれば、二股部の内縁に対向するようにナイフエッジ状の刃を形成することにより、硬い土でも二股部を土中深く突き刺すことが容易となり、このような刃を形成するに際しては、二股部の内輪の基端に形成した孔が刃を研削加工するための砥石の逃がし孔として機能し、二股部の内縁の基端から先端まで全域にわたる刃の形成が容易となる。
【００１９】
そして、請求項３に係る考案によると、二股部内縁の刃に追加された凹凸歯の存在によって草や小木の根、株の切断が容易となり、請求項４に係る考案によれば、二股部を土中に突き刺した状態での柄部の操作性が良好なものとなる。
【考案を実施するための最良の形態】
【００２０】
図１は考案の実施の形態の斜視図であり、図２（Ａ）に正面図、（Ｂ）にその右側面図を示す。
【００２１】
柄部１の一端部に二股部２が一体に形成され、これらは例えば鋼板等の金属製板材によって形成されている。柄部１には例えば木製ないしは樹脂製の握柄３が装着されている。また、柄部１には、二股部２と握柄３との間に、約１０°程度に板厚方向に屈曲する屈曲部１ａが形成されている。
【００２２】
二股部２の内縁の間隔は、柄部１側の基端から先端に向けて次第に広くなるように、例えば約１０°程度で広がるＶ字形とされ、この内縁には、互いに対向するようにナイフエッジ状の刃４，４が形成されている。また、その刃４，４に切り込みを入れることによって凹凸歯４ａ，４ａが形成されている。
【００２３】
そして、二股部２の内側の基端には、板厚方向に貫通する孔５が形成されている。
以上の実施の形態を用いるとき、握柄３を把持して、除去すべき草や木に隣接する位置で、その根幹が二股部２内に入るように当該二股部２を斜め方向適宜角度で土中に突き刺し、握柄３を押し下げることにより、根ごと草ないしは木を掘り起こす。この際、二股部２に刃４，４が形成され、また、二股部２の基端に孔５が形成されているため、硬い土でも土中深く差し込むことができるとともに、二股部２の基端に土が詰まることがない。
【００２４】
そして、以上の実施の形態の製造工程において、二股部２の内縁に刃４，４を形成するに当たり、孔５が刃４，４を研削するための砥石に対して逃げとなって他部との干渉を防止することができるため、二股部２の基端部にまで簡単に刃４，４を形成することができる。
【００２５】
ここで、本考案においては、握柄３については特に限定されることなく、例えば図３に正面図を示すように、横向きの把持部を備えた握柄３０を用いることもできる。
【００２６】
また、以上の実施の形態においては、二股部２の内縁の歯４，４に凹凸歯４ａ，４ａを形成した例を示したが、この凹凸歯４ａ．４ａは必ずしも必要ではなく、図４に示すようには４，４のみを形成してもよい。また、この図４に示すように、比較的大型の草や木の根・株を除去する用途にあっては、柄部１に対して略直交する突起６を一体に形成し、その突起６に脚踏み６ａを取り付け、足で土中に突き刺すように構成することもできる。
【図面の簡単な説明】
【００２７】
【図１】本考案の実施の形態の斜視図である。
【図２】本考案の実施の形態の正面図（Ａ）とその右側面図（Ｂ）である。
【図３】本考案の他の実施の形態の正面図である。
【図４】本考案の更に他の実施の形態の要部正面図である。
【符号の説明】
【００２８】
１  柄部
１ａ  屈曲部
２  二股部
３  握柄
４  刃
４ａ  凹凸歯
５  孔
６  突起
６ａ  脚踏み
【図１】
0003137409.tif 000003
【図２】
0003137409.tif 000004
【図３】
0003137409.tif 000005
【図４】
0003137409.tif 000006